(57)【要約】【課題】重量物からなる収容物品を物品収容空間内に収容して持ち運びしても箱底部の底抜けを抑止して確実に保持するとともに収容箱全体の保形性を発揮する折り畳み可能な収容箱を提供すること。【解決手段】底面前方フラップ１１１が、この底面前方フラップ１１１の一部を切り起こして物品収容空間Ａに向けて折り曲げられる差込片１１１ｄを有し、底面後方フラップ１４１が、この底面後方フラップ１４１の一部を切り欠いて底面前方フラップ１１１の差込片１１１ｄを差し込んで係止自在となる係止スリット１４１ｃを有している折り畳み可能な収容箱１００。【選択図】図５
2020006990.tif 000002
【特許請求の範囲】
【請求項１】
物品収容空間を構成する箱枠体を矩形状の正面パネルと左側面パネルと右側面パネルと背面パネルとで一連一体に形成するとともに、前記正面パネルの底辺を介して連続する底面前方フラップと前記左側面パネルの底辺を介して連続する底面左サイドフラップと前記右側面パネルの底辺を介して連続する底面右サイドフラップと前記背面パネルの底辺を介して連続する底面後方フラップとを前記物品収容空間に向けて折り曲げた状態で相互に組付けて前記物品収容空間の底部開口を閉塞してなる収容箱において、
前記底面前方フラップが、該底面前方フラップの一部を切り起こして前記物品収容空間に向けて折り曲げ自在となる差込片を有し、
前記底面後方フラップが、該底面後方フラップの一部を切り欠いて前記底面前方フラップの差込片を差し込んで係止自在となる係止スリットを有していることを特徴とする折り畳み可能な収容箱。
【請求項２】
前記底面前方フラップの差込片が、前記底面前方フラップの一部を前記正面パネルの底辺に向けて爪状に切り欠いて起伏自在に形成され、
前記係止スリットに対する差込片の係止方向が、前記底面後方フラップの底面前方フラップに対する組み付け方向と逆向きとなっていることを特徴とする請求項１に記載の折り畳み可能な収容箱。
【請求項３】
前記底面左サイドフラップと前記底面右サイドフラップとが、前記物品収容空間の底部開口を閉塞した状態で前記差込片の上方から該差込片と当接していることを特徴とする請求項１または請求項２に記載の折り畳み可能な収容箱。
【請求項４】
前記正面パネルの上辺に連続して前記物品収容空間に向けて折り曲げられる正面上端補強パネルと該正面上端補強パネルの上辺に連続して前記物品収容空間内へ折り込まれる正面内装パネルと該正面内装パネルの上辺に連続して前記物品収容空間の底部で折り重ねられる底面抑え片とを更に備え、
前記底面抑え片が、前記物品収容空間の底部開口を閉塞した状態で前記底面左サイドフラップおよび前記底面右サイドフラップと前記差込片とによって挟圧されていることを特徴とする請求項１乃至請求項３のいずれか１つに記載の折り畳み可能な収容箱。
【請求項５】
弾性変形自在な硬質プラスチックシートで形成されていることを特徴とする請求項１乃至請求項４のいずれか１つに記載の折り畳み可能な収容箱。
【発明の詳細な説明】
【技術分野】
【０００１】
本発明は、矩形状の正面パネルと左側面パネルと右側面パネルと背面パネルとで一連一体に物品収容空間を構成する箱枠体を形成するとともに、正面パネルの底辺を介して連続する底面前方フラップと左側面パネルの底辺を介して連続する底面左サイドフラップと右側面パネルの底辺を介して連続する底面右サイドフラップと背面パネルの底辺を介して連続する底面後方フラップとを物品収容空間に向けて折り曲げた状態で相互に組み込んで物品収容空間の底部開口を閉塞してなる折り畳み可能な収容箱に関するものである。
【背景技術】
【０００２】
従来、重量物をいれた場合でも容易には底が抜けない底壁を有する箱体として、箱体の底壁が、底辺に連設し底辺に対してほぼ平行な切り込み部を有し開口部を塞ぐ第１の蓋体と、第１の蓋体に重ねる際に突出部を切り込み部に挿入する第１のフラップと、第１の蓋体に重ねる際に突出部を切り込み部に挿入する第２のフラップと、頭部と傾斜辺とをつなぐ位置に凹部を設け第１の蓋体に重ねる際に頭部を切り込み部に挿入するとともに凹部と第１及び第２のフラップの突出部を咬合する第２の蓋体とを有しているものが知られている（例えば、特許文献１）。
【先行技術文献】
【特許文献】
【０００３】
【特許文献１】特開平１０−２９７６２８号公報
【発明の概要】
【発明が解決しようとする課題】
【０００４】
特許文献１に記載されている箱体の底壁は、第１のフラップの突出部と第２のフラップの突出部と第２の蓋体の頭部を第１の蓋体の切り込み部に挿入して構成されているが、重量物からなる収容物品を物品収容空間内に収容して持ち運びする際に箱底部で底抜けを生じて収容物品を保持することができないという問題があった。
したがって、箱体に収容物品を収容して持ち運びする際には、箱体の箱底部を糊付けしたり、箱底部に底板を敷設したり、あるいは、箱底部を挟持ピンなどの金具で補強して収容物品を保持しなければならないという厄介な問題があった。
【０００５】
そこで、本発明は、前述したような従来技術の問題を解決するものであって、すなわち、本発明の目的は、重量物からなる収容物品を物品収容空間内に収容して持ち運びしても箱底部の底抜けを抑止して確実に保持するとともに収容箱全体の保形性を発揮する折り畳み可能な収容箱を提供することである。
【課題を解決するための手段】
【０００６】
請求項１に係る発明は、物品収容空間を構成する箱枠体を矩形状の正面パネルと左側面パネルと右側面パネルと背面パネルとで一連一体に形成するとともに、前記正面パネルの底辺を介して連続する底面前方フラップと前記左側面パネルの底辺を介して連続する底面左サイドフラップと前記右側面パネルの底辺を介して連続する底面右サイドフラップと前記背面パネルの底辺を介して連続する底面後方フラップとを前記物品収容空間に向けて折り曲げた状態で相互に組付けて前記物品収容空間の底部開口を閉塞してなる収容箱において、前記底面前方フラップが、該底面前方フラップの一部を切り起こして前記物品収容空間に向けて折り曲げ自在となる差込片を有し、前記底面後方フラップが、該底面後方フラップの一部を切り欠いて前記底面前方フラップの差込片を差し込んで係止自在となる係止スリットを有していることにより、前述した課題を解決するものである。
【０００７】
請求項２に係る発明は、請求項１に記載された収容箱の構成に加えて、前記底面前方フラップの差込片が、前記底面前方フラップの一部を前記正面パネルの底辺に向けて爪状に切り欠いて起伏自在に形成され、前記係止スリットに対する差込片の係止方向が、前記底面後方フラップの底面前方フラップに対する組み付け方向と逆向きとなっていることにより、前述した課題をさらに解決するものである。
【０００８】
請求項３に係る発明は、請求項１または請求項２に記載された収容箱の構成に加えて、前記底面左サイドフラップと前記底面右サイドフラップとが、前記物品収容空間の底部開口を閉塞した状態で前記差込片の上方から該差込片と当接していることにより、前述した課題をさらに解決するものである。
【０００９】
請求項４に係る発明は、請求項１乃至請求項３のいずれか１つに記載された収容箱の構成に加えて、前記正面パネルの上辺に連続して前記物品収容空間に向けて折り曲げられる正面上端補強パネルと該正面上端補強パネルの上辺に連続して前記物品収容空間内へ折り込まれる正面内装パネルと該正面内装パネルの上辺に連続して前記物品収容空間の底部で折り重ねられる底面抑え片とを更に備え、前記底面抑え片が、前記物品収容空間の底部開口を閉塞した状態で前記底面左サイドフラップおよび前記底面右サイドフラップと前記差込片とによって挟圧されていることにより、前述した課題をさらに解決するものである。
【００１０】
請求項５に係る発明は、請求項１乃至請求項４のいずれか１つに記載された収容箱の構成に加えて、弾性変形自在な硬質プラスチックシートで形成されていることにより、前述した課題をさらに解決するものである。
【発明の効果】
【００１１】
本発明の折り畳み可能な収容箱は、物品収容空間を構成する箱枠体を矩形状の正面パネルと左側面パネルと右側面パネルと背面パネルとで一連一体に形成するとともに、正面パネルの底辺を介して連続する底面前方フラップと左側面パネルの底辺を介して連続する底面左サイドフラップと右側面パネルの底辺を介して連続する底面右サイドフラップと背面パネルの底辺を介して連続する底面後方フラップとを物品収容空間に向けて折り曲げた状態で相互に組付けて物品収容空間の底部開口を閉塞することにより、従来のような箱底部を糊付けしたり、箱底部に底板を敷設したりする必要もなく、収容物品を物品収容空間内に収容して保持することができるとともに、以下のような本発明に特有の効果を奏することができる。
【００１２】
請求項１に係る発明の収容箱によれば、底面前方フラップが、この底面前方フラップの一部を切り起こして物品収容空間に向けて折り曲げ自在となる差込片を有し、底面後方フラップが、この底面後方フラップの一部を切り欠いて底面前方フラップの差込片を差し込んで係止自在となる係止スリットを有していることにより、底面前方フラップの差込片が底面後方フラップの係止スリットに差し込まれて係止され、その結果、底面前方フラップと底面左サイドフラップと底面右サイドフラップと底面後方フラップとで構成される箱底部に対して抜け止め機能を奏するため、収容物品を物品収容空間内に収容して持ち運びしても箱底部の底抜けを抑止して確実に保持するとともに収容箱全体の保形性を発揮することができる。
【００１３】
請求項２に係る発明の収容箱によれば、請求項１に係る発明の収容箱が奏する効果に加えて、底面前方フラップの差込片が、底面前方フラップの一部を正面パネルの底辺に向けて爪状に切り欠いて起伏自在に形成され、係止スリットに対する差込片の係止方向が、底面前方フラップに対する底面後方フラップの組み付け方向と逆向きとなっていることにより、底面後方フラップと底面前方フラップとの組み付けを解除する方向に底面後方フラップおよび底面前方フラップに対して力が働いたとしても、差込片が係止スリットに対して差し込まれた状態で確実に係止されて抜けにくくなるため、重量物からなる収容物品を物品収容空間内に収容した場合であっても箱底部の底抜けを確実に回避することができる。
【００１４】
請求項３に係る発明の収容箱によれば、請求項１または請求項２に係る発明の収容箱が奏する効果に加えて、底面左サイドフラップと底面右サイドフラップとが、物品収容空間の底部開口を閉塞した状態で差込片の上方からこの差込片と当接していることにより、収容物品を物品収容空間内に収容した際に、差込片が底面左サイドフラップおよび底面右サイドフラップと底面前方フラップによって面接触状態で挟圧されてこれら相互間の接触度合いが増大するため、係止スリットに対する差込片の引き抜き抵抗を生じて箱底部の優れた保形性を発揮することができる。
【００１５】
請求項４に係る発明の収容箱によれば、請求項１乃至請求項３のいずれか１つに係る発明の収容箱が奏する効果に加えて、正面パネルの上辺に連続して物品収容空間に向けて折り曲げられる正面上端補強パネルとこの正面上端補強パネルの上辺に連続して物品収容空間内へ折り込まれる正面内装パネルとこの正面内装パネルの上辺に連続して物品収容空間の底部で折り重ねられる底面抑え片とを更に備えていることにより、収容箱の正面側と底面側が２重構造となって補強されるため、収容物品を物品収容空間内に収容した際に、収容箱全体が歪に変形することなくさらに優れた保形性を発揮することができる。
また、底面抑え片が、物品収容空間の底部開口を閉塞した状態で底面左サイドフラップおよび底面右サイドフラップと差込片とによって挟圧されていることにより、重量物からなる収容物品を物品収容空間内に収容した際には、底面左サイドフラップおよび底面右サイドフラップが、底面抑え片を介して差込片を底面前方フラップに面接触状態で押しつけてこれら相互間の接触度合いが増大するため、差込片の係止スリットに対する引き抜き抵抗が生じて箱底部の底抜けをさらに回避することができる。
【００１６】
請求項５に係る発明の収容箱によれば、請求項１乃至請求項４のいずれか１つに係る発明の収容箱が奏する効果に加えて、収容箱が弾性変形自在な硬質プラスチックシートで形成されていることにより、収容箱を段ボール紙などで製作する場合に比べて、肉薄であっても優れた箱強度と保形性を発揮するため、収容物品をより確実に保持することができるばかりでなく、底面前方フラップと底面左サイドフラップと底面右サイドフラップと底面後方フラップとで構成される箱底部の組付けまたは解体時に硬質プラスチックシートが弾性変形するため、組付け作業や解体作業を簡便に達成することができる。
さらに、係止スリットと差込片が段ボール紙などよりも硬質のプラスチックシートから形成されていることにより、硬質プラスチックシート同士の摩擦係数が小さくても堅牢な保形性を発揮し、収容物品に対して底抜けしにくくなるため、重量物からなる収容物品であっても確実に保持することができる。
【図面の簡単な説明】
【００１７】
【図１】本発明の実施例である収容箱の斜視図。
【図２】図１に示す収容箱の底面図。
【図３】図１に示す収容箱の展開図。
【図４】図１に示す収容箱の底部開口を閉塞する手順の説明図。
【図５】図１に示す収容箱の底部開口を閉塞する手順の説明図。
【図６】図１に示す収容箱の底部開口を閉塞する手順の説明図。
【図７】図１に示す収容箱の底部開口を閉塞する手順の説明図。
【図８Ａ】図３に示す底面抑え片と底面サイドフラップとの組付け手順の説明図。
【図８Ｂ】図３に示す底面抑え片と底面サイドフラップとの組付け手順の説明図。
【図８Ｃ】図３に示す底面抑え片と底面サイドフラップとの組付け手順の説明図。
【図９】図２のＩＸ−ＩＸ断面図。
【図１０】図２のＸ−Ｘ断面図。
【図１１Ａ】本発明の実施例である収容箱の箱底部における変形状態を示す模式図。
【図１１Ｂ】本発明の比較例である収容箱の箱底部における変形状態を示す模式図。
【発明を実施するための形態】
【００１８】
本発明は、矩形状の正面パネルと左側面パネルと右側面パネルと背面パネルとで一連一体に物品収容空間を構成する箱枠体を形成するとともに、正面パネルの底辺を介して連続する底面前方フラップと左側面パネルの底辺を介して連続する底面左サイドフラップと右側面パネルの底辺を介して連続する底面右サイドフラップと背面パネルの底辺を介して連続する底面後方フラップとを物品収容空間に向けて折り曲げた状態で相互に組み込んで物品収容空間の底部開口を閉塞してなる収容箱において、底面前方フラップが、この底面前方フラップの一部を切り起こして物品収容空間側へ折り曲げられる差込片を有し、底面後方フラップが、この底面後方フラップの一部を切り欠いて底面前方フラップの差込片を差し込んで係止する係止スリットを有していることにより、重量物からなる収容物品を物品収容空間内に収容して持ち運びしても箱底部の底抜けを抑止して確実に保持するとともに収容箱全体の保形性を発揮するものであれば、その具体的な実施態様は、如何なるものであっても構わない。
【００１９】
例えば、収容箱の素材については、ポリプロピレン樹脂板、ＡＢＳ（アクリロニトリル・ブタジエン・スチレン）樹脂板、ＰＥＴ（ポリエチレンテレフタラート）樹脂板、ポリカーボネート樹脂板、ポリ塩化ビニル樹脂板、ポリエチレン樹脂板、ポリアミド樹脂板などの弾性変形自在な硬質プラスチックシートであることが好ましいが、収容箱を形成するために必要な折り曲げ溝を簡便に成形して折り曲げ自在となるプラスチックシートであれば、前述した硬質プラスチックシート以外の素材であっても良い。
【実施例】
【００２０】
以下、図１乃至図１１Ｂに基づいて、本発明の実施例である収容箱を説明する。
【００２１】
＜１．収容箱の構造＞
まず、図１乃至図３に基づいて、本発明の実施例である収容箱１００を説明する。
図１は、本発明の実施例である収容箱の斜視図であり、図２は、図１に示す収容箱の底面図であり、図３は、図１に示す収容箱の展開図である。
【００２２】
本発明の一実施例である収容箱１００は、図１に示すように直方体状であり、図３に示すように、物品収容空間を構成する箱枠体１００Ａとこの箱枠体１００Ａを補強するスティック状の組付補強部材１５０との２部材で組み立てられる。
そして、この箱枠体１００Ａと組付補強部材１５０とは、単一のブランクシート素材としてポリプロピレン樹脂板からなる硬質プラスチックシートＳから切り出される。
これにより、収容箱１００を段ボール紙などで製作する場合に比べて、肉薄であっても箱強度と保形性が増すばかりでなく、収容箱１００の組付けまたは解体時に硬質プラスチックシートが弾性変形し、組付け作業や解体作業が簡便になっている。
【００２３】
＜２．１．箱枠体＞
まず、図１乃至図３に基づいて、箱枠体１００Ａについて説明する。
箱枠体１００Ａは、矩形状の正面パネル１１０と、この正面パネル１１０の左辺１１０ａを介して連続する矩形状の左側面パネル１２０と、正面パネル１１０の右辺１１０ｂを介して連続する矩形状の右側面パネル１３０と、この右側面パネル１３０の右辺１３０ａを介して連続する背面パネル１４０とを備え、これら４枚のパネルが一連一体となって直方体状の物品収容空間Ａ（図４、図８Ｃ等参照）を囲繞するように構成されている。
【００２４】
＜２．１．１．正面パネル＞
まず、図１および図３等に基づいて、矩形状の正面パネル１１０と、この正面パネル１１０の上下方向に隣接された部材について説明する。
正面パネル１１０の上部中央付近には、逆台形状の開口１１０ｃが形成されている。
【００２５】
正面パネル１１０の底辺１１０ｄには、この底辺１１０ｄを介して連続する凹字状の底面前方フラップ１１１が隣接されている。
この底面前方フラップ１１１は、正面パネル１１０の底辺１１０ｄと隣接する矩形部分１１１ａと、この矩形部分１１１ａの左右端側かつ下端から突出する２つの矩形状の突出部分１１１ｂとを有している。
すなわち、これらの２つの突出部分１１１ｂにより、底面前方フラップ１１１には凹部領域１１１ｃが形成されて凹字状のフラップ形状を呈している。
そして、矩形部分１１１ａには、正面パネル１１０の底辺１１０ｄに向けて爪状に切り欠いて起伏自在な差込片１１１ｄが形成されている。
なお、ここでいう「爪状」とは、本実施例においては、図３に示すように横長の台形形状を指すが、少なくとも後述する底面後方フラップ１４１の係止スリット１４１ｃに係止できれば、その先端部の形状や縦横比等は、如何なるものであってもよい。
【００２６】
また、正面パネル１１０の上辺１１０ｅには、この上辺１１０ｅを介して連続する帯状の正面上端補強パネル１１２が隣接して接続されている。
そして、この正面上端補強パネル１１２の上辺１１２ａには、この上辺１１２ａを介して連続する矩形状の正面内装パネル１１３が隣接して接続されている。
正面内装パネル１１３の上辺１１３ａには、矩形状の底面抑え片１１４が隣接して接続されている。
なお、正面パネル１１０、正面上端補強パネル１１２、正面内装パネル１１３、底面抑え片１１４の左右方向の幅は、ほぼ等しい。
また、これら４つのパネルの内、上下方向の幅が最も短いのは、正面上端補強パネル１１２であり、正面パネル１１０の上下方向の幅と正面内装パネル１１３の上下方向の幅とは、ほぼ等しくなっている。
そして、底面抑え片１１４の上下方向の幅は、正面パネル１１０の上下方向の幅より短くなっている。
【００２７】
＜２．１．２．左側面パネル＞
次に、図１および図３等に基づいて、左側面パネル１２０と、この左側面パネル１２０の周囲に隣接された部材について説明する。
【００２８】
左側面パネル１２０の底辺１２０ａには、この底辺１２０ａを介して連続する底面左サイドフラップ１２１が隣接されている。
底面左サイドフラップ１２１は、展開図である図３において、右側（底面前方フラップ１１１側）に傾斜辺１２１ａを有しており、下方に向かって上下方向の幅が狭くなっている。
そして、この底面左サイドフラップ１２１は、傾斜辺１２１ａから突出する舌部分１２１ｂを有している。
【００２９】
左側面パネル１２０の上辺１２０ｂには、この上辺１２０ｂを介して連続する矩形状の天面左サイドフラップ１２２が隣接されている。
【００３０】
左側面パネル１２０の左辺１２０ｃには、この左辺１２０ｃを介して連続する台形状の折込み片１２３が隣接されている。
さらに、この左側面パネル１２０の左辺１２０ｃには、この左辺１２０ｃの上部に配置した差込スリット１２４とその下部に配置した差込スリット１２５がそれぞれ形成されている。
【００３１】
＜２．１．３．右側面パネル＞
次に、図１および図３等に基づいて、右側面パネル１３０と、この右側面パネル１３０の上下方向に隣接された部材について説明する。
【００３２】
右側面パネル１３０の底辺１３０ｂには、この底辺１３０ｂを介して連続する底面右サイドフラップ１３１が隣接されている。
底面右サイドフラップ１３１は、展開図である図３において、左側（底面前方フラップ１１１側）に傾斜辺１３１ａを有しており、下方に向かって上下方向の幅が狭くなっている。
そして、この底面右サイドフラップ１３１は、傾斜辺１３１ａから突出する舌部分１３１ｂを有している。
【００３３】
右側面パネル１３０の上辺１３０ｃには、この上辺１３０ｃを介して連続する矩形状の天面右サイドフラップ１３２が隣接されている。
【００３４】
＜２．１．４．背面パネル＞
次に、図１および図３等に基づいて、背面パネル１４０と、この背面パネル１４０の周囲に隣接された部材について説明する。
【００３５】
背面パネル１４０の底辺１４０ａには、この底辺１４０ａを介して連続する台形状の底面後方フラップ１４１が隣接されている。
底面後方フラップ１４１は、背面パネル１４０の底辺１４０ａと隣接する台形状の基端部分１４１ａと、この基端部分１４１ａの下端から突出する矩形状の突出部分１４１ｂとを有している。
そして、この突出部分１４１ｂの左右中央付近には、角丸で細長形状の係止スリット１４１ｃが形成されている。
この係止スリット１４１ｃの上下方向の幅は、底面前方フラップ１１１の差込片１１１ｄの厚みよりも大きい。
【００３６】
また、背面パネル１４０の上辺１４０ｂには、この上辺１４０ｂを介して連続する矩形状の天面パネル１４２が隣接されている。
そして、この天面パネル１４２の上辺１４２ａには、この上辺１４２ａを介して連続する矩形状の天面フラップ１４３が隣接されている。
この天面フラップ１４３の左右中央付近には、天面フラップ１４３の上辺１４３ａに向けて切り欠いて起伏自在な差込保持片１４３ｂが形成されている。
なお、背面パネル１４０、天面パネル１４２、天面フラップ１４３の左右方向の幅は、全て等しい。
【００３７】
背面パネル１４０の右辺１４０ｃには、この右辺１４０ｃの上部に配置した台形状の差込舌片１４４と右辺１４０ｃの下部に配置した台形状の差込舌片１４５とがそれぞれ形成されている。
さらに、この差込舌片１４４の基端部（右辺１４０ｃ上）には、ロッキングスリット１４４ａが形成されている。
同様に、差込舌片１４５の基端部（右辺１４０ｃ上）には、ロッキングスリット１４５ａが形成されている。
【００３８】
＜２．１．５．収容箱の天蓋構造および底蓋構造＞
正面パネル１１０と、左側面パネル１２０と、右側面パネル１３０と、背面パネル１４０とにより囲繞された物品収容空間Ａの矩形断面を呈する上部開口は、天蓋となる天面パネル１４２の差込保持片１４３ｂを正面パネル１１０に形成された台形状の開口１１０ｃに差し込むことで天面パネル１４２により閉塞される。
他方、物品収容空間Ａの矩形断面を呈する底部開口Ｏ（図４等参照）は、底面前方フラップ１１１と底面左サイドフラップ１２１と底面右サイドフラップ１３１と底面後方フラップ１４１とを物品収容空間Ａに向けて折り曲げた状態で組付けてこれら４つのフラップを係止させることで閉塞し、所謂、底蓋を構成する。
なお、物品収容空間Ａの矩形断面を呈する底部開口Ｏの閉塞手順については、後に詳述する。
【００３９】
＜２．２．組付補強部材＞
組付補強部材１５０は、図３に示すように、箱枠体１００Ａの左側面パネル１２０と背面パネル１４０との相互間の組付けラインＬに沿った縦長の棒状本体１５１と、この棒状本体１５１の上部に配置した台形状のロッキング舌片１５２と、棒状本体１５１の下部に配置した台形状のロッキング舌片１５３とを有している。
【００４０】
＜３．収容箱の組み立て＞
次に、図１乃至図１０に基づいて、本実施例である収容箱１００の組み立て手順を説明する。
図４乃至図７は、図１に示す収容箱の底部開口を閉塞する手順の説明図であり、図８Ａ乃至図８Ｃは、図３に示す底面抑え片と底面サイドフラップとの組付け手順の説明図であり、図９は、図２のＩＸ−ＩＸ断面図であり、図１０は、図２のＸ−Ｘ断面図である。
【００４１】
＜３．１．物品収容空間の形成＞
まず、単一のブランクシート素材としてポリプロピレン樹脂板からなる硬質プラスチックシートＳから、前述した箱枠体１００Ａおよび組付補強部材１５０をそれぞれ切り出す。
そして、正面パネル１１０の左辺１１０ａおよび右辺１１０ｂ、左側面パネル１２０の左辺１２０ｃ、右側面パネル１３０の右辺１３０ａ、背面パネル１４０の右辺１４０ｃを予め箱枠体１００Ａの内側に向けて谷折り自在となるようにＶ字溝を成形加工しておく。
【００４２】
このようなＶ字溝を成形加工によって施した状態で、正面パネル１１０と左側面パネル１２０と右側面パネル１３０と背面パネル１４０とをそれぞれ相互に垂直に折り曲げた後、左側面パネル１２０の上部に配置した差込スリット１２４に背面パネル１４０の上部に配置した差込舌片１４４を挿入し、左側面パネル１２０の下部に配置した差込スリット１２５に背面パネル１４０の下部に配置した差込舌片１４５を挿入する。
このようにして、これらの正面パネル１１０と左側面パネル１２０と右側面パネル１３０と背面パネル１４０とが、一連一体に矩形断面を呈する物品収容空間Ａを囲繞するように構成される。
【００４３】
さらに、本実施例の収容箱１００では、組付補強部材１５０に配置した上部のロッキング舌片１５２を、背面パネル１４０に配置した上部の差込舌片１４４のロッキングスリット１４４ａに挿入し、組付補強部材１５０に配置した下部のロッキング舌片１５３を、背面パネル１４０に配置した下部の差込舌片１４５のロッキングスリット１４５ａに挿入する。
これにより、左側面パネル１２０と背面パネル１４０との係合、すなわち、左側面パネル１２０と背面パネル１４０との連結形態が、より強固になり、収容箱１００が、まず、図４に示すような箱枠体１００Ａを構成した状態となる。
【００４４】
＜３．２．収容箱の底部開口の閉塞＞
続いて、図２、図４乃至図７に基づいて、収容箱１００の底部開口Ｏの閉塞手順を説明する。
【００４５】
すなわち、図４に示すような箱枠体１００Ａを構成した状態から、正面パネル１１０の底辺１１０ｄを折り曲げ、底面前方フラップ１１１を物品収容空間Ａに向けて折り込んで、図５の閉塞状態にする。
【００４６】
次に、図５の閉塞状態から、左側面パネル１２０の底辺１２０ａを折り曲げて、底面左サイドフラップ１２１を物品収容空間Ａに向けて折り込む。
このとき、底面左サイドフラップ１２１の舌部分１２１ｂを底面前方フラップ１１１の凹部領域１１１ｃに差し込む。
同様に、右側面パネル１３０の底辺１３０ｂを折り曲げて、底面右サイドフラップ１３１の舌部分１３１ｂを底面前方フラップ１１１の凹部領域１１１ｃに差し込む。
これにより、図６に示すような閉塞状態になり、底面左サイドフラップ１２１の舌部分１２１ｂおよび底面右サイドフラップ１３１の舌部分１３１ｂが、底面前方フラップ１１１よりも内側に配置される。
なお、左側面パネル１２０と右側面パネル１３０の折り曲げの順序は、逆でもよい。
【００４７】
次に、図６の閉塞状態から、背面パネル１４０の底辺１４０ａを折り曲げ、底面後方フラップ１４１の突出部分１４１ｂを底面前方フラップ１１１の凹部領域１１１ｃに差し込む。
これにより、図７に示すような閉塞状態になり、底面後方フラップ１４１の突出部分１４１ｂが、底面前方フラップ１１１の矩形部分１１１ａと底面左サイドフラップ１２１の舌部分１２１ｂおよび底面右サイドフラップ１３１の舌部分１３１ｂとに挟まれる。
【００４８】
次に、底面前方フラップ１１１に形成された差込片１１１ｄを物品収容空間Ａに向けて折り曲げて底面後方フラップ１４１の係止スリット１４１ｃに差し込む。
これにより、図２に示すような閉塞状態になり、底面前方フラップ１１１の差込片１１１ｄが、底面後方フラップ１４１の基端部分１４１ａと底面左サイドフラップ１２１の舌部分１２１ｂおよび底面右サイドフラップ１３１の舌部分１３１ｂとに挟まれる。
したがって、底面左サイドフラップ１２１と底面右サイドフラップ１３１とが、物品収容空間Ａの底部開口Ｏを閉塞した状態で底面前方フラップ１１１の差込片１１１ｄの上方からこの差込片１１１ｄと当接し、収容物品Ｍを物品収容空間Ａ内に収容した際（図１１Ａ参照）に、底面前方フラップ１１１の差込片１１１ｄが底面左サイドフラップ１２１および底面右サイドフラップ１３１と底面前方フラップ１１１によって面接触状態で挟圧されてこれら相互間の接触度合いが増大する。
【００４９】
以上述べたように、物品収容空間Ａの底部開口Ｏは、底面前方フラップ１１１と、底面左サイドフラップ１２１と、底面右サイドフラップ１３１と、底面後方フラップ１４１とを物品収容空間Ａに向けて折り曲げた状態に組付けてこれらを係止させることで閉塞される。
【００５０】
＜３．３．底面抑え片と底面サイドフラップとの係合＞
続いて、主に図８Ａ乃至図８Ｃ、図１０に基づいて、収容箱１００の底面抑え片１１４と底面サイドフラップ（底面左サイドフラップ１２１および底面右サイドフラップ１３１）との係合を説明する。
【００５１】
まず、図８Ａの状態から、正面パネル１１０の上辺１１０ｅと、正面上端補強パネル１１２の上辺１１２ａと、正面内装パネル１１３の上辺１１３ａとを折り曲げて、正面内装パネル１１３と底面抑え片１１４とを物品収容空間Ａに向けて折り込み、図８Ｂの状態にする。
【００５２】
そして、底面左サイドフラップ１２１の舌部分１２１ｂおよび底面右サイドフラップ１３１の舌部分１３１ｂをめくり上げて、底面左サイドフラップ１２１の舌部分１２１ｂおよび底面右サイドフラップ１３１の舌部分１３１ｂと底面前方フラップ１１１の差込片１１１ｄまたは背面パネル１４０の突出部分１４１ｂとの間に底面抑え片１１４を挿入する。
これにより、図８Ｃ、図９、図１０のような状態になり、収容箱１００の正面側と底面側が２重の積層構造となって補強される。
また、底面抑え片１１４が、物品収容空間Ａの底部開口Ｏを閉塞した状態で底面左サイドフラップ１２１および底面右サイドフラップ１３１と底面前方フラップ１１１の差込片１１１ｄとによって挟圧される。
これにより、収容物品Ｍを物品収容空間Ａ内に収容した際（図１１Ａ参照）に、底面左サイドフラップ１２１および底面右サイドフラップ１３１が、底面抑え片１１４を介して底面前方フラップ１１１の差込片１１１ｄを底面前方フラップ１１１に面接触状態で押しつけてこれら相互間の接触度合いが増大する。
【００５３】
＜４．係止スリットに対する差込片の係止方向と底面前方フラップに対する底面後方フラップの組み付け方向の比較＞
本実施例では、底面前方フラップ１１１に対する底面後方フラップ１４１の組み付け方向Ｄ１（図６、図１０等参照）が、底面後方フラップ１４１に形成された係止スリット１４１ｃに対する底面前方フラップ１１１に形成された差込片１１１ｄの係止方向Ｄ２（図１０等参照）と逆向きとなっている。
これにより、底面後方フラップ１４１と底面前方フラップ１１１との組み付けを解除する方向に底面後方フラップ１４１および底面前方フラップ１１１に対して力が働いたとしても、底面前方フラップ１１１に形成された差込片１１１ｄが底面後方フラップ１４１に形成された係止スリット１４１ｃに対して差し込まれた状態で確実に係止されて抜けにくくなっている。
これを、図１１Ａおよび図１１Ｂに基づいて、詳しく説明する。
【００５４】
図１１Ａは、本実施例の収容箱１００に収容物品Ｍを収容した場合における箱底部の変形状態を示す模式図であり、図１１Ｂは、本発明の比較例である収容箱２００に収容物品Ｍを収容した場合における箱底部の変形状態を示す模式図である。
なお、比較例の収容箱２００は、本発明の実施例である収容箱１００と対比すると、底面前方フラップ２１１に対する底面後方フラップ２４１の組み付け方向と底面後方フラップ２４１に形成された係止スリット２４１ｃに対する底面前方フラップ２１１に形成された差込片２１１ｄの係止方向との関係が逆である以外は、全て共通している。
すなわち、比較例の収容箱２００において、底面前方フラップ２１１に対する底面後方フラップ２４１の組み付け方向Ｄ１が、底面後方フラップ２４１に形成された係止スリット２４１ｃに対する底面前方フラップ２１１に形成された差込片２１１ｄの係止方向Ｄ２と同じ向きになっている。
【００５５】
図１１Ａに示すように、本実施例の収容箱１００に重量物からなる収容物品Ｍを収容すると、収容物品Ｍによる荷重Ｗで収容箱１００の箱底部が撓む。
より具体的には、収容物品Ｍによる荷重Ｗは、底面抑え片１１４に加わり、この底面抑え片１１４に当接する底面後方フラップ１４１の突出部分１４１ｂにも荷重Ｗが加わる。
これにより、底面後方フラップ１４１は、下方により撓み、底面後方フラップ１４１が背面パネル１４０側に向けて回動する。
ここで、底面後方フラップ１４１の移動方向をＤ３とし、底面後方フラップ１４１がＤ３方向に向けて移動しようとすると、底面前方フラップ１１１の差込片１１１ｄが底面後方フラップ１４１の係止スリット１４１ｃに差し込まれているため、底面前方フラップ１１１の差込片１１１ｄが底面後方フラップ１４１の係止スリット１４１ｃに引っかかる。
このとき、本発明の実施例である収容箱１００では、底面前方フラップ１１１の差込片１１１ｄもＤ３方向に移動するため、結局、底面前方フラップ１１１の差込片１１１ｄが底面後方フラップ１４１の係止スリット１４１ｃとの係止関係が維持される。
したがって、底面前方フラップ１１１が底面後方フラップ１４１から抜けなくなっている。
すなわち、底面後方フラップ１４１が、係止スリット１４１ｃを有していることにより、底面前方フラップ１１１の差込片１１１ｄが底面後方フラップ１４１の係止スリット１４１ｃに差し込まれて係止され、その結果、底面前方フラップ１１１と底面左サイドフラップ１２１と底面右サイドフラップ１３１と底面後方フラップ１４１とで構成される箱底部に対して抜け止め機能を奏する。
【００５６】
一方、図１１Ｂに示すように、本発明の比較例である収容箱２００では、収容物品Ｍによる荷重Ｗは底面抑え片２１４に加わり、この底面抑え片２１４を介して底面後方フラップ２４１の突出部分２４１ｂにも荷重Ｗが加わる。
これにより、底面後方フラップ２４１は、下方により撓み、底面後方フラップ２４１が背面パネル２４０側に向けて回動する。
そして、底面後方フラップ２４１がＤ３方向に向けて移動しようとすると、底面後方フラップ２４１が底面前方フラップ２１１の差込片２１１ｄの上側を滑るため、底面前方フラップ２１１の差込片２１１ｄが、底面後方フラップ２４１の係止スリット２４１ｃとの係止関係が解除されてしまう。
したがって、底面前方フラップ２１１が、底面後方フラップ２４１から抜ける。
【００５７】
＜５．変形例＞
以上、本発明の収容箱を具体的について説明したが、本発明の収容箱は、上記に限定されるものではなく、その趣旨を逸脱しない範囲でその具体的な形態の変形が可能である。
【００５８】
例えば、本実施例において、収容箱１００の幅（Ｌ）、奥行き（Ｄ）、高さ（Ｈ）を図１に示すように定めたとき、これらの関係はＬ＞Ｄ＞Ｈとなっているが、これに限定されるものではなく、例えば、Ｌ＞Ｈ＞Ｄという関係であってもよい。
そして、底面抑え片１１４の上下方向の幅と正面パネル１１０の上下方向の幅との大小関係についても、底面後方フラップ１１４が底面サイドフラップと係合できれば本実施例の関係（底面抑え片１１４の上下方向の幅が正面パネル１１０の上下方向の幅より短い）に限定されるものではない。
【００５９】
例えば、本実施例において、背面パネル１４０に形成される差込舌片とこれに対応する左側面パネル１２０の差込スリットとの設置位置は、上下２ヶ所であったが、これに限定されるものではなく、例えば、収容箱１００が浅底である場合には、１ヶ所であれば良く、収容箱１００が深底である場合には、上中下の３ヶ所であっても良い。
【００６０】
例えば、本実施例において、組付補強部材１５０に形成されるロッキング舌片とこれに対応する背面パネル１４０のロッキングスリットとの設置位置は、上述した背面パネル１４０に形成される差込舌片とこれに対応する左側面パネル１２０の差込スリットとの設置位置に応じて上下２ヶ所としたが、これに限定されるものではなく、例えば、収容箱１００が浅底である場合には、１ヶ所であれば良く、収容箱１００が深底である場合には、上中下の３ヶ所であっても良い。
【００６１】
＜６．本実施例の効果＞
上述した本実施例である収容箱１００によれば、底面前方フラップ１１１が、この底面前方フラップ１１１の一部を切り起こして物品収容空間Ａに向けて折り曲げられる差込片１１１ｄを有し、底面後方フラップ１４１が、この底面後方フラップ１４１の一部を切り欠いて底面前方フラップ１１１の差込片１１１ｄを差し込んで係止する係止スリット１４１ｃを有しているため、重量物からなる収容物品Ｍを物品収容空間Ａに収容して持ち運びしても箱底部の底抜けを抑止して確実に保持するとともに収容箱全体の保形性を発揮することができる。
【００６２】
また、係止スリット１４１ｃに対する差込片の係止方向Ｄ２が、底面前方フラップ１１１に対する底面後方フラップ１４１の組み付け方向Ｄ１と逆向きとなっているため、重量物からなる収容物品Ｍを物品収容空間Ａに収容して持ち運びしても箱底部の底抜けを回避することができる。
【００６３】
また、底面左サイドフラップ１２１と底面右サイドフラップ１３１とが、物品収容空間Ａの底部開口Ｏを閉塞した状態で差込片１１１ｄの上方からこの差込片１１１ｄと当接しているため、係止スリット１４１ｃに対する差込片１１１ｄの引き抜き抵抗を生じて箱底部の優れた保形性を発揮することができる。
【００６４】
また、正面パネル１１０の上辺に隣接して物品収容空間Ａに向けて折り曲げられる正面上端補強パネル１１２とこの正面上端補強パネル１１２の上辺に隣接して物品収容空間Ａ内へ折り曲げられる正面内装パネル１３とこの正面内装パネル１１３の上辺に隣接して物品収容空間Ａの底部へ折り曲げられる底面抑え片１１４とを更に備えていることにより、重量物からなる収容物品Ｍを物品収容空間Ａに収容した際に、収容箱全体が歪に変形することなくさらに優れた保形性を発揮することができる。
さらに、底面抑え片１１４が、物品収容空間Ａの底部開口Ｏを閉塞した状態で底面左サイドフラップ１２１および底面右サイドフラップ１３１と差込片１１１ｄとによって挟圧されていることにより、係止スリット１４１ｃに対する差込片１１１ｄの引き抜き抵抗が生じて箱底部の底抜けをさらに回避することができる。
【００６５】
また、収容箱１００が弾性変形自在な硬質プラスチックシートＳで形成されているため、収容箱１００を段ボール紙などで製作する場合に比べて、収容物品Ｍをより確実に保持することができるばかりでなく、組付け作業や解体作業を簡便に達成することができる。
より重量物からなる収容物品Ｍを収容することができる。
さらに、係止スリット１４１ｃと差込片１１１ｄが段ボール紙などよりも硬質のプラスチックシートから形成されているため、重量物からなる収容物品Ｍであっても確実に保持することができるなど、その効果は甚大である。
【符号の説明】
【００６６】
１００、  ２００  ・・・収容箱
１００Ａ          ・・・箱枠体
１１０、  ２１０  ・・・正面パネル
１１０ａ          ・・・左辺
１１０ｂ          ・・・右辺
１１０ｃ          ・・・開口
１１０ｄ          ・・・底辺
１１０ｅ          ・・・上辺
１１１、  ２１１  ・・・底面前方フラップ
１１１ａ          ・・・矩形部分
１１１ｂ          ・・・突出部分
１１１ｃ          ・・・凹部領域
１１１ｄ、２１１ｄ・・・差込片
１１２            ・・・正面上端補強パネル
１１２ａ          ・・・上辺
１１３            ・・・正面内装パネル
１１３ａ          ・・・上辺
１１４、  ２１４  ・・・底面抑え片
１２０            ・・・左側面パネル
１２０ａ          ・・・底辺
１２０ｂ          ・・・上辺
１２０ｃ          ・・・左辺
１２１            ・・・底面左サイドフラップ
１２１ａ          ・・・傾斜辺
１２１ｂ          ・・・舌部分
１２２            ・・・天面左サイドフラップ
１２３            ・・・折込み片
１２４            ・・・差込スリット
１２５            ・・・差込スリット
１３０            ・・・右側面パネル
１３０ａ          ・・・右辺
１３０ｂ          ・・・底辺
１３０ｃ          ・・・上辺
１３１            ・・・底面右サイドフラップ
１３１ａ          ・・・傾斜辺
１３１ｂ          ・・・舌部分
１３２            ・・・天面右サイドフラップ
１４０、  ２４０  ・・・背面パネル
１４０ａ          ・・・底辺
１４０ｂ          ・・・上辺
１４０ｃ          ・・・右辺（折り込み線）
１４１、  ２４１  ・・・底面後方フラップ
１４１ａ          ・・・基端部分
１４１ｂ、２４１ｂ・・・突出部分
１４１ｃ、２４１ｃ・・・係止スリット
１４２            ・・・天面パネル
１４２ａ          ・・・上辺
１４３            ・・・天面フラップ
１４３ａ          ・・・上辺
１４３ｂ          ・・・差込保持片
１４４            ・・・差込舌片
１４４ａ          ・・・ロッキングスリット
１４５            ・・・差込舌片
１４５ａ          ・・・ロッキングスリット
１５０            ・・・組付補強部材
１５１            ・・・棒状本体
１５２            ・・・ロッキング舌片
１５３            ・・・ロッキング舌片
Ａ              ・・・物品収容空間
Ｏ              ・・・底部開口
Ｍ              ・・・収容物品
Ｓ              ・・・硬質プラスチックシート
Ｌ              ・・・組付けライン
Ｄ１            ・・・底面前方フラップに対する底面後方フラップの組み付け方向
Ｄ２            ・・・係止スリットに対する差込片の係止方向
Ｄ３            ・・・底面後方フラップの移動方向
Ｗ              ・・・荷重
Ｌ              ・・・収容箱の幅
Ｄ              ・・・収容箱の奥行き
Ｈ              ・・・収容箱の高さ
【図１】
2020006990.tif 000003
【図２】
2020006990.tif 000004
【図３】
2020006990.tif 000005
【図４】
2020006990.tif 000006
【図５】
2020006990.tif 000007
【図６】
2020006990.tif 000008
【図７】
2020006990.tif 000009
【図８Ａ】
2020006990.tif 000010
【図８Ｂ】
2020006990.tif 000011
【図８Ｃ】
2020006990.tif 000012
【図９】
2020006990.tif 000013
【図１０】
2020006990.tif 000014
【図１１Ａ】
2020006990.tif 000015
【図１１Ｂ】
2020006990.tif 000016